(57)【要約】      （修正有）【課題】在庫品として倉庫に滞留しており未使用のまま廃棄処分される可能性が高い建築関係商材の売買を推進し、人手が不足している建築工事関係者に対する他の建築工事関係業者からの適切な人材派遣を推進するために管理、運営されるコネクティングシステムを提供する。【解決手段】売り主からの販売希望の商材の情報、派遣可能な人材の情報を蓄積、保管するサイトを作成し、買い主がサイトにアクセスして購入を希望する商材、派遣を希望する人材が見出された場合は、買い主と売り主との間で商材購入から代金支払いまでの商品取引、人材の斡旋に基づく適切な人材の派遣が安全且つ確実に行われるようサイトを管理、運営する。【選択図】図１
2020091645.tif 000002
【特許請求の範囲】
【請求項１】
建築関係の商材を取り扱う業者、建築工事関係業者を売り主、買い主とし、売り主と買い主との間における商材の売買、建築工事関係の人材の派遣を推進するためのコネクティングシステムであって、売り主からの販売希望の商材の情報、派遣可能な人材の情報を蓄積、保管するサイトを作成し、買い主がサイトにアクセスして購入を希望する商材、派遣を希望する人材が見出された場合は、買い主と売り主との間で商材購入から代金支払いまでの商品取引、人材の斡旋に基づく適切な人材の派遣が安全且つ確実に行われるようサイトを管理、運営することを特徴とする建築関係商材の売買および建築関係人材の派遣のためのコネクティングシステム。
【発明の詳細な説明】
【技術分野】
【０００１】
本発明は、建築関係商材の売買および建築関係人材の派遣のためのコネクティングシステム、詳しくは、建築関係の商材で、誤発注やキャンセルなどのトラブルにより処理できず倉庫に滞留しており、最終的には廃棄処分される可能性の高い商材の売買や、人手が不足している建築工事関係者への適切な人材派遣を推進するために管理、運営されるコネクティングシステムに関する。
【背景技術】
【０００２】
従来、住宅建築などの建築関係業において、上記誤発注やキャンセルなどの他、販売予測の見込み違いで売れ残ってしまった商材、工事の中止、変更で余った商材など、商品価値があるにもかかわらず在庫品として倉庫に滞留している建築関係商材は、現実には未使用のまま廃棄処分される可能性が高い。
【０００３】
また、建築工事関係業者の間の人的な交流は少なく、ある工事関係業者においては現在受注している工事に携わらない余剰な人員をかかえているにもかかわらず、他の工事関係業者においては、職人が集まらず人手不足から工期に間に合わないという事態も起きているというのが現状である。
【発明の概要】
【発明が解決しようとする課題】
【０００４】
本発明は、建築関係業界における上記従来の問題を解消するためになされたものであり、その目的は、在庫品として倉庫に滞留しており未使用のまま廃棄処分される可能性が高い建築関係商材の売買を推進し、人手が不足している建築工事関係業者に対する他の建築工事関係業者からの適切な人材派遣を推進するために管理、運営されるコネクティングシステムを提供することにある。
【課題を解決するための手段】
【０００５】
上記の目的を達成するための本発明による建築関係商材の売買および建築関係人材の派遣のためのコネクティングシステムは、建築関係の商材を取り扱う業者、建築工事関係業者を売り主、買い主とし、売り主と買い主との間における商材の売買、建築工事関係の人材の派遣を推進するためのコネクティングシステムであって、売り主からの販売希望の商材の情報、派遣可能な人材の情報を蓄積、保管するサイトを作成し、買い主がサイトにアクセスして購入を希望する商材、派遣を希望する人材が見出された場合は、買い主と売り主との間で商材購入から代金支払いまでの商品取引、人材の斡旋に基づく適切な人材の派遣が安全且つ確実に行われるようサイトを管理、運営することを特徴とする。
【発明の効果】
【０００６】
本発明によれば、従来は在庫品として未使用のまま廃棄処分される可能性が高かった建築関係商材の売買によってその有効利用が推進され、その結果、未使用のまま廃棄処分され産業廃棄物となる商材が減少するから、環境保全の面でも有効である。
【０００７】
人手が不足している建築工事関係者に対する他の建築工事関係業者からの適切な人材派遣が推進され、工期の遅れなどが解消できるから建築工事業界全体の信用向上にも役立つ。
【図面の簡単な説明】
【０００８】
【図１】本発明に係る建築関係商材の売買および建築関係人材の派遣のためのコネクティングシステムによる建築関係商材（商品）の購入の流れを示すフローチャートである。
【発明を実施するための形態】
【０００９】
本発明の建築関係商材の売買および建築関係人材の派遣のためのコネクティングシステムの運営を実施するために、コンピュータにより専用ホームページとなるサイトを作成し、サイトに加入する売り主、買い主となる建築関係の商材を取り扱う業者、建築工事関係業者などの企業を集め登録する。
【００１０】
売り主となる企業から販売を希望する商品の情報（商品名、メーカー名、品番、ロット番号、販売希望価格など）、買い主となる企業から購入を希望する商品の情報をサイトに蓄積、保管する。
【００１１】
サイトにはパソコンでアクセスできるようにしてもよいが、スマートフォン（スマホ）でアクセスできるようにするのが望ましく、スマホで商品の写真を撮りサイトに掲載することも簡単に行うことができる。派遣できる人材の写真をサイトに掲載することもできる。
【００１２】
サイトに蓄積、保管される建築関係商材には、管材、形材、板材などの建築資材の他、衛生機器、空調機器、照明機器など住宅建築において使用される全ての商品が含まれる。
【００１３】
また、サイトには、売り主、買い主となる建築工事関係の企業からの派遣可能な人材の情報、必要としている人材の情報を蓄積、保管する。
【００１４】
買い主がサイトにアクセスして購入を希望する商材が見出された場合は、サイトを管理、運営する会社を通して買い主と売り主との間で問合せ、交渉、商品確認が行われて、サイトを管理、運営する会社を通して売り主と買い主との間で価格、納期、梱包方法、配送方法などが合意される。そのため、商品購入から代金支払いまでの商品取引が安全且つ確実に行われことができる。  
【００１５】
人材の派遣についても、派遣を希望する人材が見出された場合は、商品取引の場合と同様に、サイトを管理、運営する会社を通して人材派遣企業（売り主）と人材派遣を希望する企業（買い主）との間で問合せ、交渉が行われ、サイトを管理、運営する会社を通して人材の斡旋に基づく適切な人材の派遣が安全且つ確実に行われる。
【００１６】
代金の支払いもサイトを管理、運営する会社を通して行われる。代金の支払いについては、現金の振り込み、送金により行うこともできるが、サイトに加入した時に現金をポイントに替え、サイト内ではポイントでの支払いのみとするのが望ましい。
【００１７】
なお、本発明の建築関係商材の売買および建築関係人材の派遣のためのコネクティングシステムの運営を全国展開するためには、地域ごとにサイトを運営する会社を設け、地域ごとにサイトを開設するのが好ましい。
【００１８】
以下、図１により本発明のコネクティングシステムの運営のうち、建築関係商材の売買の具体例について説明する。図１は本発明のコネクティングシステムによる建築関係商材（商品）の購入の流れを示すフローチャートで、商品販売を希望する企業（売り主）はサイトを管理、運営する会社（サイト運営会社）に商品情報を連絡すると、サイト運営会社はその商品情報をサイトに掲載する。
【００１９】
サイトにアクセスして、購入を希望する商品が見つかった場合は、商品購入を希望する企業（買い主）は商品に対する購入意思をサイト運営会社に連絡する。サイト運営会社を通して売り主と買い主との間で交渉が行われた結果として、売り主は買い主に商品を配送し、買い主が配送された商品を確認し満足すれば、売り主はサイト運営会社を通して買い主にポイントで支払い、商品取引が完了する。
【図１】
2020091645.tif 000003